(57)【要約】      （修正有）【課題】  余分なコストの追加なしに、装置の取り扱い説明書をより簡単に参照することができる技術を提供する。【解決手段】  モニタ部１７は、ビデオ信号処理部１５からの映像信号に基づく画像を表示する。エラーコード及び操作モード取得部２１は、利用者からの操作部１１からの操作に基づいてエラーコード又は操作モードを取得する。エラーコード及び操作モード取り扱い説明書変換部２３は、テーブルなどに基づいて、エラーコード及び操作モード取得部２１が取得したエラーコード又は操作モードを取り扱い説明書の頁番号に変換する処理を行う。情報合成部２７は、エラーコード及び操作モード取り扱い説明書変換部２３とビデオ信号処理部１５との出力を合成する回路であり、合成信号をモニタ部１７に表示させる。【選択図】  図３
2005338961.tif 000002
【特許請求の範囲】
【請求項１】
電子機器の取扱説明書の前記電子機器の操作に関する説明が記載されている頁と、前記電子機器の操作と、を対応させて記憶する記憶部と、
前記電子機器の操作に関する情報を入力する操作部と、
前記取り扱い説明書の頁を表示する頁表示部と、
該操作部から入力された前記操作に関する情報に基づいて前記記憶部から前記電子機器の操作に関する説明が記載されている頁を取得し、前記頁表示部に表示する制御を行う制御部と
を備えたことを特徴とする電子機器。
【請求項２】
電子機器の取扱説明書の前記電子機器の警報に関する対応策の説明が記載されている頁と、前記電子機器において発生した警報と、を対応させて記憶する記憶部と、
前記取り扱い説明書の頁を表示する頁表示部と、
前記電子機器の警報に関する情報に基づいて前記記憶部から前記電子機器の警報に関する対応策が説明が記載されている頁を取得し、前記頁表示部に表示する制御を行う制御部と
を備えたことを特徴とする電子機器。
【請求項３】
前記頁表示部は、前記電子機器に備えられている大型の主表示部とは異なる表示部であることを特徴とする請求項１又は２に記載の電子機器。
【請求項４】
さらに、前記取り扱い説明書の内容と頁数とが記録されている記録媒体が接続可能なインターフェイス部を有することを特徴とする請求項１から３までのいずれか１項に記載の電子機器。
【請求項５】
前記電子機器の操作に係わる案内を必要とする場合に、
前記インターフェイス部に前記記録媒体を接続する操作に応じて、前記記録媒体から前記電子機器の取扱説明書の前記操作に関する記載がある頁を表示する制御を行う制御部を有することを特徴とする請求項４に記載の電子機器。
【請求項６】
前記電子機器の操作に係わる案内を必要とする場合に、
前記インターフェイス部に前記記録媒体を接続する操作に応じて、前記記録媒体から前記電子機器の取扱説明書の前記操作に関する記載を表示する制御を行う制御部を有することを特徴とする請求項４に記載の電子機器。
【請求項７】
前記電子機器の警報が発生した場合に、
前記インターフェイス部に前記記録媒体を接続する操作に応じて、前記記録媒体から前記電子機器の取扱説明書の前記警告に関する記載がある頁を表示する制御を行う制御部を有することを特徴とする請求項４に記載の電子機器。
【請求項８】
前記電子機器の警報が発生した場合に、
前記インターフェイス部に前記記録媒体を接続する操作に応じて、前記記録媒体から前記電子機器の取扱説明書の前記警告に関する記載を表示する制御を行う制御部を有することを特徴とする請求項４に記載の電子機器。
【請求項９】
さらに、外部からの通信により前記記憶部の記憶内容を更新する処理を行う情報更新部を有することを特徴とする請求項１から８までのいずれか１項に記載の電子機器。
【請求項１０】
さらに、前記電子機器の操作又は警報に関する前記取り扱い説明書の該当頁の記載に応じて、操作又は警報に対する対応策を実行する処理部を有することを特徴とする請求項１から９までのいずれか１項に記載の電子機器。
【請求項１１】
請求項５から１０までのいずれか１項に記載の電子機器に用いるのに適しており、前記取り扱い説明書の内容と頁とが記憶されていることを特徴とする記憶媒体。
【発明の詳細な説明】
【技術分野】
【０００１】
本発明は、電子機器に関し、特に、電子機器に関する取り扱い説明書（操作マニュアル）などの使い勝手の向上に役に立つ電子機器に関する。
【背景技術】
【０００２】
従来、表示モニタを備えたビデオカメラにおいて、種々の動作モードを有する場合に、いずれの動作を選択するかが使用者にわかりにくい場合が多く、また、使用者が一度覚えたとしても、ある期間だけ使用していない場合には忘れてしまうという問題がある。装置に関する取扱説明書を読む方法もあるが、その他に、パーソナルコンピュータのヘルプ表示のように、操作に必要な項目をキーワード検索し画面上で読み取る方法などがとられている。
【０００３】
また、装置の動作中に表示画面上に“警告表示”などが表示された場合に、継続使用するためには何らかの対応をしなければならない。そこで、警告表示と一致する項目を装置に同梱されている操作説明書の目次に基づいて探し、該当箇所における記載を参照して対策を講じる方法もある。機器が操作説明書の内容を表示画面上に表示させる機能を具備する場合には、操作説明書の記載内容を全て装置に内蔵されたメモリ内に格納しておく方法もあるが、この方法では、それほど頻度の高くない警告表示に関する対処方法に対して必要なメモリ容量が膨大となる。
【０００４】
【特許文献１】特開平４−２４３４２０号公報
【特許文献２】特開２００３−５８３５１号公報
【発明の開示】
【発明が解決しようとする課題】
【０００５】
とりわけ、最近の電子機器は複雑な機能を有しているため、その操作説明書の頁数が膨大となってきている。上記した従来の方法によれば、操作説明書の目次により、装置の“操作方法”の解説頁や“警告表示”を解決する該当頁を捜すとことになるが、類似した表現や記載が多いため、実際に必要な頁とは異なる頁を見たりすることも多く、本来必要な情報を記載した頁に辿り着く迄に時間を要する。さらに、該当する警告表示に対する解決を図る場合に、全ての処理が終了するまでに要する時間が長くなりすぎるという問題があった。特に撮影装置や録音装置などの場合には、撮影又は録音のチャンスを逸することにも繋がる。
【０００６】
また、上記特許文献１に記載の技術のように、装置が故障した場合に、該当頁の必要箇所の内容を液晶画面上に表示させる方法では、図や長い説明文などを表示面積の小さい小型（携帯型）装置の表示部に表示させる場合なども考えると、使い勝手の良いものではなかった。
【０００７】
本発明は、余分なコストの追加なしに、装置の取り扱い説明書をより簡単に参照することができる技術を提供することを目的とする。
【課題を解決するための手段】
【０００８】
本発明によれば電子機器の使用中の操作に係わる何らかの“警告表示“や”操作方法“を知りたい場合に、特定の操作ボタンを押すことにより表示部画面上に当該警告内容に対処する方法を記載した操作説明書の該当頁を液晶画面上に表示させる。使用者は、その該当頁に基づいて取り扱い説明書を読み、“警告表示“や”操作方法“に関する対処を行う視診を得ることができる。警告表示が出た場合には、この警告に対処するための説明が記載されている操作説明書の該当頁を、液晶画面上に表示する専用表示部又は画像表示用のモニタに表示することにより、警告に対処する方策を報知する。
【発明の効果】
【０００９】
電子機器の使用中に警告表示が出た場合に、操作説明書における対応策の検索が簡単になるという効果がある。とりわけ、使用者にとって初めて表示された“警告表示”の場合には、なかなか探せないため特に初心者の場合などに大きな効果を発揮する。加えて、警告表示に対して速やかに対処することにより、当該機種が問題なく使用出来る状態となるので撮影チャンスを逃さないといった効果もある。
【発明を実施するための最良の形態】
【００１０】
本明細書において、取り扱い説明書の「頁」とは、頁数（頁番号）そのものを指す。但し、取り扱い説明書の該当する記載がある箇所が簡単に特定できるインデックス機能を有していれば良いため、章と節とからなっている場合には、これらを表示することも可能である。「頁の記載」とは、該当する取り扱い説明書の頁に記載されている内容そのものである。
【００１１】
以下、本発明の実施の形態による装置について、デジタルビデオカメラを例にして説明を行う。図１は、本発明の第１の実施の形態によるデジタルビデオカメラの概略構成例を示す機能ブロック図である。図１に示すように、本発明の実施の形態によるデジタルビデオカメラは、液晶表示部１と、ヘルプキーを含む入力部２と、処理部３と、表示バッファ４と、を有している。図２は、デジタルビデオカメラの外観を示す斜視図である。図２に示すように、デジタルビデオカメラは、一般的な撮像機能５の他に、液晶表示モニタ部１と、ヘルプ入力操作ボタン２と、ヘルプ入力に関する処理部３（詳細は後述する）と、ヘルプ入力に応じた上記表示モニタ部１とは異なる小型表示部６と、を有している。
【００１２】
図３は、本発明の実施の形態によるデジタルビデオカメラの処理部３の詳細の構成例を示す機能ブロック図である。図３に示すように、処理部３は、それぞれがバスラインＢＬに接続された各機能ブロックを有している。すなわち、撮像部（Ａ／Ｄ変換処理を含む）５と、ＣＰＵ（中央演算処理）部７と、操作部１１と、ビデオ信号処理部１５と、モニタ部１７と、エラーコード及び操作モード取得部２１と、エラーコード及び操作モード取り扱い説明書変換部２３と、圧縮／伸張回路部２５と、情報合成部２７と、記憶部３３と、を有している。尚、頁を表示する場合に画像を表示するモニタ部１７に表示させても良いし、専用の頁表示部３１（図２の変換部３と同様の構成である。）を設けてそこに頁のみを表示させるようにしても良い。加えて、通信部３５を有していても良い。
【００１３】
撮像部（Ａ／Ｄ変換処理を含む）５は、ＣＣＤ撮像素子などにより撮像したアナログ信号をデジタル信号に変換する。ＣＰＵ（システム部）７は、各機能ブロックの全体的な制御を司る。操作部１１は、ヘルプ機能などの起動操作などを行うための操作スイッチなどを含む。ビデオ信号処理部１５は、撮像部（Ａ／Ｄ変換処理を含む）５から取得した信号の処理を行う。モニタ部１７は、ビデオ信号処理部１５からの映像信号に基づく画像を表示する。エラーコード及び操作モード取得部２１は、利用者からの操作部１１からの操作に基づいてエラーコード又は操作モードを取得する。エラーコード及び操作モード取り扱い説明書変換部２３は、後述するテーブルなどに基づいて、エラーコード及び操作モード取得部２１が取得したエラーコード又は操作モードを取り扱い説明書の頁番号に変換する処理を行う。圧縮／伸張回路部２５は、ビデオ信号処理部１５からの出力信号を圧縮／伸張する。情報合成部２７は、エラーコード及び操作モード取り扱い説明書変換部２３とビデオ信号処理部１５との出力を合成する回路であり、合成信号をモニタ部１７に表示させることも可能である。尚、モニタ部１７の他に頁番号を表示するための専用の頁表示部３１を有していても良い。
【００１４】
図４は、エラーコード及び操作モード取り扱い説明書変換部２３の変換処理に用いられる変換用テーブルの一構成例を示す図である。図４に示すように、変換用テーブル４１は、エラーコード又は操作モードの識別番号ＩＤ４３と、この識別番号ＩＤ４３に対応するインデックス４５と、取り扱い説明書などの頁数４７と、簡単な内容４８とを対応付けて記載している。簡単な内容は任意に設けられる。上記テーブルを用いることにより、エラーコード及び操作モードと取り扱い説明書の該当頁数とを迅速に変換することが可能である。これらのテーブルは例えば図３に示す記録部３３に格納されている。例えば、ＩＤ（４３）１は、インデックス４５としてはエラー１に該当し、取扱頁４７は３頁であり、内容４８は「つゆ付着」である。
【００１５】
次に、上記デジタルビデオカメラのエラーコード又は操作モードに関する動作の流れについて図面を参照しつつ説明を行う。図５は、本発明の実施の形態によるヘルプ表示に関する処理の流れを示すフローチャート図である。図５に示すように、まず、ステップＳ１において動作モードＡに関するヘルプを必要とする場合には、ステップＳ２において操作案内の特定キー（例としてはヘルプ）を入力する。次いで、ステップＳ３において、次に操作可能な操作モード（操作コード）を出力する。出力としては１〜ｎモード（ｎは自然数）のうちのいずれかが出力される。ステップＳ４においてステップＳ３で出力された操作モードの値１〜ｎに基づいて図４に示すテーブルを検索し、操作モードを取り扱い説明書の頁数に変換する。次いで、ステップＳ５において表示部に画像と合成して頁数を表示し、処理を終了する（ステップＳ６）。これにより、使用者は操作案内に関する特定のキーを入力することで、自動的に該当する取り扱い説明書の頁数を取得することができ、取り扱い説明書の該当頁を見ることにより簡単に動作に関する案内を受けることができる。尚、破線Ｘで示した処理は取り扱い説明書のバージョンアップに対応する処理を行うステップであり、例えばステップＳ８において通信部を介してバージョンアップ情報を受け取ると、これをステップＳ７において操作モード取り扱い説明書頁変換を行い、更新前の変換テーブルに更新分を反映させる。これにより、いつでも、取り扱い説明書のバージョンアップに対応することができる。
【００１６】
図６は、本発明の実施の形態によるデジタルカメラにおける処理であって、エラー発生時の処理の流れを示す図である。図６に示すように、まず、ステップＳ１１において動作（エラー発生）が生じると、ステップＳ１２においてエラーコードを取得する。ステップＳ１３においてテーブルに基づいてエラーコードを取り扱い説明書の頁に変換する処理を行う。次いで、ステップＳ１４において、表示部に画像と頁とを合成して表示を行い、ステップＳ１５で処理を終了する。バージョンアップに関しては、図５に示す処理と同様の処理（Ｓ１７、Ｓ１６）を、ステップＳ１７及びＳ１６において行えば良い。
【００１７】
以上、本発明の実施の形態によるデジタルビデオカメラによれば、動作説明を求めるヘルプ操作又はエラー時の操作に基づいて、自動的に取り扱い説明書の該当頁番号を表示するようにしたことにより、使用者は取り扱い説明書を読む際に迷うことなく、迅速に対応することができる。また、説明書の内容ではなく頁番号のみを表示させるため、内部に記憶する情報の容量を格段に小さくすることができ、コストダウンにも効果がある。
【００１８】
次に、本発明の第２の実施の形態によるデジタルビデオカメラについて、図面を参照しつつ説明を行う。図７は、本発明の実施の形態によるデジタルビデオカメラの処理部３’の構成例を示す図である。図７に示す処理部３’が図３に示す処理部３と異なる点は、図３には設けられていない記憶媒体３８を挿入するためのインターフェイス部３７が設けられている点と、図３に設けられた合成回路２７を備えていない点である。記憶媒体には、取り扱い説明書又はヘルプの内容が頁数（番号）とともに記憶されている。
【００１９】
図８は、本発明の実施の形態によるデジタルビデオカメラの動作例を示すフローチャート図である。図８に示すように、本発明の実施の形態によるデジタルビデオカメラを、ステップＳ２１に示すように動作モードＡによって動作させ、ステップＳ２２において操作案内の特定キー、例えばヘルプを入力する。ステップＳ２３において、操作可能な操作モード（操作コード）のうち１〜ｎ（ｎは２以上の自然数）を出力する。ステップＳ２４において、ステップＳ２３において出力された操作モードに基づいて、図４に示すような変換テーブルを用いて操作モードを取り扱い説明書の頁数に変換し、該当する頁数を取得する。
【００２０】
別途用意されている記憶媒体３８には、取り扱い説明書の内容と頁数とが実際の書籍と同様の内容に沿って記憶されている。ステップＳ２５において利用者が記憶媒体３８をインターフェイス部３７に挿入すると、処理部７が頁数に基づいて記憶媒体３８から該当する頁数の記憶内容である動作モードを表示モニタ２７に表示させ、ステップＳ２７において処理を終了する。
【００２１】
本発明の実施の形態によるデジタルビデオカメラにおいては、取り扱い説明書と同様の内容が記憶されている記憶媒体をインターフェイス部３７に挿入することにより、頁数（番号）に基づいて内容を読み出し、これを表示モニタ２７に表示させることにより、実際の取り扱い説明書を所持していない場合でも、対応策を知ることができる。特に、移動時には取り扱い説明書を所持しなくて良い利点が大きい。尚、第１の実施の形態の場合と同様に、ステップＳ２９の通信部からステップＳ２８の操作モード−取り扱い説明書頁数変換を行うことで、バージョンアップを行うことが可能である。
【００２２】
図９は、本発明の実施の形態によるデジタルビデオカメラのエラー発生時の処理の流れを示すフローチャート図である。図９に示すように、本発明の実施の形態によるデジタルビデオカメラを、ステップＳ３１に示すように動作エラーが発生すると、ステップＳ３２においてエラーコードを取得し、ステップＳ３３においてエラーコードと取り扱い説明書の頁番号との変換を行う。別途用意されている記憶媒体３８には、取り扱い説明書の内容と頁数とが実際の書籍と同様の内容に沿って記憶されている。ステップＳ３４において利用者が記憶媒体３８をインターフェイス部３７に挿入すると、処理部７が頁数に基づいて記憶媒体３８から該当する頁数の記憶内容であるエラーコードに関する該当頁の記載内容を表示モニタ２７に表示させ、ステップＳ３６において処理を終了する。
【００２３】
本発明の実施の形態によるデジタルビデオカメラにおいては、取り扱い説明書と同様の内容が記憶されている記憶媒体をインターフェイス部３７に挿入することにより、頁数（番号）に基づいて記載内容を読み出し、これを表示モニタ２７に表示させることにより、実際の取り扱い説明書を所持していない場合でも、エラー時の対応策を知ることができる。特に、移動時には取り扱い説明書を所持しなくて良い利点が大きい。尚、第１の実施の形態の場合と同様に、ステップＳ３８の通信部からステップＳ３７の操作モード−取り扱い説明書頁数変換を行うことで、バージョンアップを行うことが可能である。
【００２４】
尚、図１０（Ａ）及び（Ｂ）は、エラー時の表示内容を示す図であり、図１０（Ａ）に示すように、「つゆが付きました」との表示がなされると、図１０（Ｂ）に示すように、取り扱い説明書ｐ３参照などの表示がなされる。第２の実施の形態では、ｐ３の記載内容が表示される。
【００２５】
撮影中若しくは再生中に操作に係わる何らかの“警告表示“が出た場合、当該事項を記載してある操作説明書の該当頁を捜したが見当たらない場合や、警告表示は出たら即、特定の操作ボタン（ヘルプボタン）を押すことにより液晶画面上に当該警告内容の対処方法を記載した操作説明書の該当頁を液晶画面上に表示させ、使用者は、その該当頁を確認することにより容易に警告表示内容に対処した操作を行うことが可能となる。
【００２６】
入力キー(ヘルプボタン)が押下されたことにより、液晶画面上に表示されている警告内容に予め当該機種の記憶部記録されている操作説明書の該当頁を演算処理し、液晶表示部へ該当頁を表示させる。このヘルプボタンは専用に設けるか、他のボタンと共用することによりこれを実現することができる。
【００２７】
以上、本発明の実施の形態によるデジタルビデオカメラによれば、警告表示が出た場合、操作説明書を探し回る煩わしさから解放され、操作説明書の必要箇所を検索が迅速化するという効果がある。使用者にとって初めて表示された“警告表示”には特に効果が大きい。加えて、警告表示に速やかに対処することにより、当該機種を使用出来る状態とすることができるため、撮影チャンスを逃さないといった効果も期待できる。
【産業上の利用可能性】
【００２８】
表示装置を具備した装置。適用する商品像として、表示部を備えたカメラ一体型ビデオ、表示部を備えたデジタルカメラ、表示部を備えたＰＤＡ、パソコン等に適用可能である。
【図面の簡単な説明】
【００２９】
【図１】本発明の第１の実施の形態によるデジタルビデオカメラの概略構成例を示す機能ブロック図である。
【図２】デジタルビデオカメラの外観を示す斜視図である。
【図３】本発明の実施の形態によるデジタルビデオカメラの処理部の詳細の構成例を示す機能ブロック図である。
【図４】エラーコード及び操作モード取り扱い説明書変換部の変換処理に用いられる変換用テーブルの一構成例を示す図である。
【図５】本発明の実施の形態によるヘルプ表示に関する処理の流れを示すフローチャート図である。
【図６】本発明の実施の形態によるデジタルカメラにおける処理であって、エラー発生時の処理の流れを示す図である。
【図７】本発明の実施の形態によるデジタルビデオカメラの処理部の構成例を示す図である。
【図８】本発明の実施の形態によるデジタルビデオカメラの動作例を示すフローチャート図である。
【図９】本発明の実施の形態によるデジタルビデオカメラのエラー発生時の処理の流れを示すフローチャート図である。
【図１０】図１０（Ａ）及び（Ｂ）は、エラー時の表示内容を示す図である。
【符号の説明】
【００３０】
１…液晶表示部、２…入力部、３…処理部、４…表示バッファ、５…撮像部、６…小型表示部、７…ＣＰＵ、ＢＬ…バスライン、１１…操作部、１５…ビデオ信号処理部、１７…モニタ部、２１…エラーコード及び操作モード取得部、２３…説明書変換部、２５…圧縮／伸張回路部、２７…情報合成部、３３…記憶部、３１…頁表示部、３５…通信部。
【図１】
2005338961.tif 000003
【図２】
2005338961.tif 000004
【図３】
2005338961.tif 000005
【図４】
2005338961.tif 000006
【図５】
2005338961.tif 000007
【図６】
2005338961.tif 000008
【図７】
2005338961.tif 000009
【図８】
2005338961.tif 000010
【図９】
2005338961.tif 000011
【図１０】
2005338961.tif 000012